(57)【要約】【課題】キャリア毎の空間ダイバーシティを行う受信装置において、キャリア毎の電力から算出する信頼性値が、ダイバーシティで用いる場合とビタビ復号で用いる場合とで相反する特性を改善すること。【解決手段】複数のキャリアに周期的に分散パイロット信号が挿入されたＯＦＤＭ信号を２系統で受信する。等化部２１５、２１６は分散パイロット信号の時間軸と周波数軸補間によりキャリア毎の伝送路特性を求める。信頼性算出部２２９、２３０は平均電力とキャリア毎の伝送路特性電力とからキャリア毎の信頼性値Ｙを算出する。ダイバーシティ部２３１は信頼性値Ｙに従ってキャリア毎の選択又は重み付け合成を行う。ビタビ復号部２３４は、ダイバーシティ部２３１の出力を新たな信頼性値Ｉにより重み付けして最尤復号する。【選択図】        図２
2004172699.tif 000002
【特許請求の範囲】
【請求項１】
周波数分割多重信号を受信する２以上のブランチを有するダイバーシティ受信装置であって、
受信した信号電力から、ダイバーシティ用の第１の基準値及びビダビ復号用の第２の基準値を夫々前記ブランチ毎に求める基準値算出部と、
前記第１の基準値からダイバーシティに用いる第１の信頼性値をブランチ毎に算出する第１の信頼性算出部と、
前記第２の基準値からビタビ復号に用いる第２の信頼性値をキャリア毎に算出する第２の信頼性算出部と、
前記ブランチ毎の前記第１の信頼性値に従って、キャリア毎の選択又は重み付け合成を行うダイバーシティ部と、
前記ダイバーシティ部の出力を前記第２の信頼性値により重み付けして最尤復号するビタビ復号部と、を具備することを特徴とするダイバーシティ受信装置。
【請求項２】
シンボル周期毎に互いに直交する周波数関係にある複数のキャリアに変調を施してデジタル情報を伝送する直交周波数分割多重（以下、ＯＦＤＭという）信号を受信する２以上のブランチを有するダイバーシティ受信装置であって、
受信した信号電力から、ダイバーシティ用の第１の基準値及びビタビ復号用の第２の基準値を夫々前記ブランチ毎に求める基準値算出部と、
前記第１の基準値からダイバーシティに用いる第１の信頼性値をブランチ毎に算出する第１の信頼性算出部と、
前記第２の基準値からビタビ復号に用いる第２の信頼性値をキャリア毎に算出する第２の信頼性算出部と、
前記ブランチ毎の第１の信頼性値に従って、キャリア毎の選択又は重み付け合成を行うと共に、前記第１の信頼性値に従って、前記第２の信頼性値を選択又は合成して第３の信頼性値に変換するダイバーシティ部と、
前記ダイバーシティ部から出力されたキャリアに対して前記第３の信頼性値により重み付けして最尤復号するビタビ復号部と、を具備することを特徴とするダイバーシティ受信装置。
【請求項３】
前記ダイバーシティ部は、
前記ブランチ毎の前記第１の信頼性値に従って、第１の演算テーブルを用いてキャリアの選択又は重み付け合成を行うキャリアダイバーシティ部と、
前記ブランチ毎の前記第１の信頼性値に従って、第２の演算テーブルを用いて前記第２の信頼性値を選択又は合成して第３の信頼性値に変換する信頼性値ダイバーシティ部と、を有することを特徴とする請求項１又は２記載のダイバーシティ受信装置。
【請求項４】
複数のキャリアに周期的に分散パイロット信号が挿入されたＯＦＤＭ信号を受信する２以上のブランチを有するダイバーシティ受信装置であって、
前記分散パイロット信号の時間軸補間と周波数軸補間によりキャリア毎の伝送路特性を求め、キャリア毎の伝送路特性電力を算出するブランチ毎の電力算出部と、
前記電力算出部の出力を用いてダイバーシティ用の平均電力ＰＡを算出するブランチ毎の第１の平均電力算出部と、
前記電力算出部の出力を用いてビタビ復号用の平均電力ＰＢを算出するブランチ毎の第２の平均電力算出部と、
前記平均電力ＰＡを基準として前記キャリア毎の伝送路特性電力からキャリア毎の第１の信頼性値を算出するブランチ毎の第１の信頼性算出部と、
前記平均電力ＰＢを基準として前記キャリア毎の伝送路特性電力からキャリア毎の第２の信頼性値を算出するブランチ毎の第２の信頼性算出部と、
ブランチ毎の前記第１の信頼性値に従ってキャリア毎の選択又は重み付け合成を行うキャリアダイバーシティ部と、
ブランチ毎の前記第１の信頼性値に従って前記第２の信頼性値を選択又は合成を行い、新たな第３の信頼性値を算出する信頼性値ダイバーシティ部と、
前記キャリアダイバーシティ部の出力を、前記第３の信頼性値により重み付けして最尤復号するビタビ復号部と、を具備することを特徴とするダイバーシティ受信装置。
【請求項５】
複数のキャリアに周期的に分散パイロット信号が挿入されたＯＦＤＭ信号を受信する２以上のブランチを有するダイバーシティ受信装置であって、
前記分散パイロット信号の時間軸補間と周波数軸補間によりキャリア毎の伝送路特性を求め、キャリア毎の伝送路特性電力を算出するブランチ毎の電力算出部と、
前記電力算出部の出力を用いてダイバーシティ用の平均電力ＰＡを算出するブランチ毎の第１の平均電力算出部と、
前記電力算出部の出力を用いてビタビ復号用の平均電力ＰＢを算出するブランチ毎の第２の平均電力算出部と、
前記平均電力ＰＡを基準として前記キャリア毎の伝送路特性電力からキャリア毎の第１の信頼性値を算出するブランチ毎の第１の信頼性算出部と、
前記平均電力ＰＢを基準として前記キャリア毎の伝送路特性電力からキャリア毎の第２の信頼性値を算出するブランチ毎の第２の信頼性算出部と、
ブランチ毎の前記第１の信頼性値を用いた第１の演算テーブルに従ってキャリア毎の選択又は重み付け合成を行うキャリアダイバーシティ部と、
ブランチ毎の前記第１の信頼性値に用いた第２の演算テーブルに従って前記第２の信頼性値を選択又は合成を行い、新たな第３の信頼性値を算出する信頼性値ダイバーシティ部と、
前記キャリアダイバーシティ部の出力を、前記第３の信頼性値により重み付けして最尤復号するビタビ復号部と、を具備することを特徴とするダイバーシティ受信装置。
【請求項６】
複数のキャリアに周期的に分散パイロット信号が挿入されたＯＦＤＭ信号を受信する２以上のブランチを有するダイバーシティ受信装置であって、
前記分散パイロット信号の時間軸補間と周波数軸補間によりキャリア毎の伝送路特性を求め、キャリア毎の伝送路特性電力を算出するブランチ毎の電力算出部と、
前記電力算出部から出力される伝送路特性を用いてダイバーシティ用の平均電力ＰＡを算出するブランチ毎の第１の平均電力算出部と、
前記電力算出部から出力される伝送路特性を用いてビタビ復号用の平均電力ＰＢを算出するブランチ毎の第２の平均電力算出部と、
前記平均電力Ａを基準として前記キャリア毎の伝送路特性電力からキャリア毎の第１の信頼性値を算出するブランチ毎の第１の信頼性算出部と、
前記平均電力ＰＢを基準として前記キャリア毎の伝送路特性電力からキャリア毎の第２の信頼性値を算出するブランチ毎の第２の信頼性算出部と、
ブランチ毎の前記第１の信頼性値に従ってキャリア毎の選択又は重み付け合成を行うキャリアダイバーシティ部と、
ブランチ毎の前記第１の信頼性値に従って前記第２の信頼性値を選択又は合成を行い、新たな第３の信頼性値を算出する信頼性値ダイバーシティ部と、
前記キャリアダイバーシティ部の出力を、前記第３の信頼性値により重み付けして最尤復号するビタビ復号部と、を具備することを特徴とするダイバーシティ受信装置。
【請求項７】
前記第１の平均電力算出部及び前記第２の平均電力算出部は、平均算出のためにフィルタを使用し、
前記第１の平均電力算出部で使用するフィルタは、前記第２の平均電力算出部で使用するフィルタよりも追従性が悪いものであることを特徴とする請求項４〜６の何れか１項記載のダイバーシティ受信装置。
【請求項８】
前記第１の平均電力算出部及び前記第２の平均電力算出部は、任意の時間での平均演算を行うものであり、
前記第１の平均電力算出部は、前記第２の平均電力算出部よりも長時間の平均演算により平均電力を算出することを特徴とする請求項４〜６の何れか１項記載のダイバーシティ受信装置。
【請求項９】
複数のキャリアに周期的に分散パイロット信号が挿入されたＯＦＤＭ信号を受信する２以上のブランチを有するダイバーシティ受信装置であって、
前記分散パイロット信号の時間軸補間と周波数軸補間によりキャリア毎の伝送路特性を求め、キャリア毎の伝送路特性電力を算出するブランチ毎の電力算出部と、
ダイバーシティ用の基準値Ａ０  を任意に設定して出力する基準値出力部と、
前記電力算出部の出力を用いてビタビ復号用の平均電力ＰＢを算出するブランチ毎の平均電力算出部と、
前記基準値Ａ０  を基準として前記キャリア毎の伝送路特性電力からキャリア毎の第１の信頼性値を算出するブランチ毎の第１の信頼性算出部と、
前記平均電力ＰＢを基準として前記キャリア毎の伝送路特性電力からキャリア毎の第２の信頼性値を算出するブランチ毎の第２の信頼性算出部と、
ブランチ毎の前記第１の信頼性値に従ってキャリア毎の選択又は重み付け合成を行うキャリアダイバーシティ部と、
ブランチ毎の前記第１の信頼性値に従って前記第２の信頼性値を選択又は合成を行い、新たな第３の信頼性値を算出する信頼性値ダイバーシティ部と、
前記キャリアダイバーシティ部の出力を、前記第３の信頼性値により重み付けして最尤復号するビタビ復号部と、を具備することを特徴とするダイバーシティ受信装置。
【請求項１０】
複数のキャリアに周期的に分散パイロット信号が挿入されたＯＦＤＭ信号を受信する２以上のブランチを有するダイバーシティ受信装置であって、
前記分散パイロット信号の時間軸補間と周波数軸補間によりキャリア毎の伝送路特性を求め、キャリア毎の伝送路特性電力を算出するブランチ毎の電力算出部と、
ダイバーシティ用の基準値Ａ０  を任意に設定して出力する基準値出力部と、
前記電力算出部の出力を用いてビタビ復号用の平均電力ＰＢを算出するブランチ毎の平均電力算出部と、
前記基準値Ａ０  を基準として前記キャリア毎の伝送路特性電力からキャリア毎の第１の信頼性値を算出するブランチ毎の第１の信頼性算出部と、
前記平均電力ＰＢを基準として前記キャリア毎の伝送路特性電力からキャリア毎の第２の信頼性値を算出するブランチ毎の第２の信頼性算出部と、
ブランチ毎の前記第１の信頼性値を用いた第１の演算テーブルに従ってキャリア毎の選択又は重み付け合成を行うキャリアダイバーシティ部と、
ブランチ毎の前記第１の信頼性値を用いた第２の演算テーブルに従って前記第２の信頼性値を選択又は合成を行い、新たな第３の信頼性値を算出する信頼性値ダイバーシティ部と、
前記キャリアダイバーシティ部の出力を、前記第３の信頼性値により重み付けして最尤復号するビタビ復号部と、を具備することを特徴とするダイバーシティ受信装置。
【請求項１１】
複数のキャリアに周期的に分散パイロット信号が挿入されたＯＦＤＭ信号を受信する２以上のブランチを有するダイバーシティ受信装置であって、
前記分散パイロット信号の時間軸補間と周波数軸補間によりキャリア毎の伝送路特性を求め、キャリア毎の伝送路特性電力を算出するブランチ毎の電力算出部と、
ダイバーシティ用の基準値Ａ０  を任意に設定して出力する基準値出力部と、
前記電力算出部の出力する伝送路特性電力を用いてビタビ復号用の平均電力ＰＢを算出するブランチ毎の平均電力算出部と、
前記基準値Ａ０  を基準として前記キャリア毎の伝送路特性電力からキャリア毎の第１の信頼性値を算出するブランチ毎の第１の信頼性算出部と、
前記平均電力ＰＢを基準として前記キャリア毎の伝送路特性電力からキャリア毎の第２の信頼性値を算出するブランチ毎の第２の信頼性算出部と、
ブランチ毎の前記第１の信頼性値に従ってキャリア毎の選択又は重み付け合成を行うキャリアダイバーシティ部と、
ブランチ毎の前記第１の信頼性値に従って前記第２の信頼性値を選択又は合成を行い、新たな第３の信頼性値を算出する信頼性値ダイバーシティ部と、
前記キャリアダイバーシティ部の出力を、前記第３の信頼性値により重み付けして最尤復号するビタビ復号部と、を具備することを特徴とするダイバーシティ受信装置。
【請求項１２】
前記平均電力算出部は、追従性の良いフィルタを用いて平均電力Ｂを算出するものであることを特徴とする請求項９〜１１の何れか１項記載のダイバーシティ受信装置。
【請求項１３】
前記平均電力算出部は、任意の短時間平均により平均電力ＰＢを算出するものであることを特徴とする請求項９〜１１の何れか１項記載のダイバーシティ受信装置。
【請求項１４】
複数のキャリアに周期的に分散パイロット信号が挿入されたＯＦＤＭ信号を受信する２以上のブランチを有するダイバーシティ受信方法であって、
前記分散パイロット信号の時間軸補間と周波数軸補間とによりキャリア毎の伝送路特性を求めキャリア毎の伝送路特性電力を算出し、
ブランチ毎にダイバーシティ用の平均電力ＰＡを算出し、
ブランチ毎にビタビ復号用の平均電力ＰＢを算出し、
前記平均電力Ａを基準として前記キャリア毎の伝送路特性電力からキャリア毎の第１の信頼性値をブランチ毎に算出し、
前記平均電力ＰＢを基準として前記キャリア毎の伝送路特性電力からキャリア毎の第２の信頼性値をブランチ毎に算出し、
前記ブランチ毎の前記第１の信頼性値に従ってキャリア毎の選択又は重み付け合成し、
前記ブランチ毎の前記第１の信頼性値に従って前記第２の信頼性値を選択又は合成して、新たな第３の信頼性値を算出し、
前記選択又は重み付け合成されたキャリアを、前記第３の信頼性値により重み付けして最尤復号することを特徴とするダイバーシティ受信方法。
【請求項１５】
複数のキャリアに周期的に分散パイロット信号が挿入されたＯＦＤＭ信号を受信する２以上のブランチを有するダイバーシティ受信方法であって、
前記分散パイロット信号の時間軸補間と周波数軸補間とによりキャリア毎の伝送路特性を求めキャリア毎の伝送路特性電力を算出し、
ブランチ毎にダイバーシティ用の基準値Ａ０  を任意に設定し、
ブランチ毎にビタビ復号用の平均電力ＰＢを算出し、
前記基準値Ａ０  を基準として前記キャリア毎の伝送路特性電力からキャリア毎の第１の信頼性値をブランチ毎に算出し、
前記平均電力ＰＢを基準として前記キャリア毎の伝送路特性電力からキャリア毎の第２の信頼性値をブランチ毎に算出し、
前記ブランチ毎の前記第１の信頼性値に従って、キャリア毎の選択又は重み付け合成し、
前記ブランチ毎の前記第１の信頼性値に従って前記第２の信頼性値を選択又は合成して、新たな第３の信頼性値を算出し、
前記選択又は重み付け合成されたキャリアを、前記第３の信頼性値により重み付けして最尤復号することを特徴とするダイバーシティ受信方法。
【発明の詳細な説明】
【０００１】
【発明の属する技術分野】
本発明は、キャリア毎の空間ダイバーシティを行うダイバーシティ受信装置とダイバーシティ受信方法に関するものである。
【０００２】
【従来の技術】
２００３年のサービス開始が予定されているデジタル地上波テレビ（ＩＳＤＢ−Ｔ）の規格においては、変調方式としてＯＦＤＭ（直交周波数分割多重）が採用される。ＯＦＤＭは、伝送するデジタルデータで互いに直交する多数のキャリアを変調し、それらの変調波を多重して伝送する方式である。ＯＦＤＭ伝送信号には、送信波形の１部をコピーしたガード期間が設けられている。このガード期間がガード期間長以下のマルチパスを吸収し、受信品質劣化を防止するという特徴を有している。
【０００３】
また、地上の伝搬環境として、マルチパスやフェージングなど受信特性の劣化が起こり易い。このため、ＩＳＤＢ−Ｔでは、畳み込み符号とリードソロモン符号の連接符号と共に、時間インタリーブ等も採用され、誤りに対する耐性が高められている。
【０００４】
しかしながら、アナログ放送からデジタル放送への移行期は、周波数の利用がより混雑することから、アナログ放送波からの妨害、いわゆる同一チャネル妨害や隣接チャネル妨害などの影響を受けることが考えられる。このような妨害の影響を軽減するため、妨害を受けているキャリアの信頼性値を０に設定するキャリア消失や、妨害の程度によってそのキャリアの信頼性に基づいて軟判定ビタビ復号を行う等の方法が提案されている。
【０００５】
また、劣悪な移動体の受信環境のために、キャリア毎に選択又は合成を行うダイバーシティ受信などが提案されている（例えば特許文献１参照）。
【０００６】
【特許文献１】
特開２００１−１５６７３８号公報
【０００７】
【発明が解決しようとする課題】
信頼性値は、ＯＦＤＭ信号のデータキャリアの間に周期的に挿入されている分散パイロット信号（ＳＰ信号）の平均電力等を利用することにより算出できる。このような信頼性値は、ビタビ復号及びダイバーシティで共通に用いることができる。
【０００８】
ビタビ復号では、ビタビ復号部に入力されるビット列が連続して信頼性が低いと判断される場合、正しく復号を行うことができず、誤訂正をしてしまう。このため、その信頼性値は、連続する受信データの電力が低くても、ある程度の信頼性を有するものとして算出する方がよい。
【０００９】
一方、キャリア毎のダイバーシティでは、複数の無相関に変動するブランチ間でのキャリアの比較又は合成を行うため、信頼性値は受信した絶対的な電力を反映するものであることが望ましい。
【００１０】
本発明は、このような従来の問題点に鑑みてなされたものであって、ビタビ復号及びダイバーシティに夫々適した異なる信頼性値の算出を行い、ダイバーシティ受信の性能を向上できるダイバーシティ受信装置とダイバーシティ受信方法を実現することを目的とする。
【００１１】
【課題を解決するための手段】
本願の請求項１の発明は、周波数分割多重信号を受信する２以上のブランチを有するダイバーシティ受信装置であって、受信した信号電力から、ダイバーシティ用の第１の基準値及びビダビ復号用の第２の基準値を夫々前記ブランチ毎に求める基準値算出部と、前記第１の基準値からダイバーシティに用いる第１の信頼性値をブランチ毎に算出する第１の信頼性算出部と、前記第２の基準値からビタビ復号に用いる第２の信頼性値をキャリア毎に算出する第２の信頼性算出部と、前記ブランチ毎の前記第１の信頼性値に従って、キャリア毎の選択又は重み付け合成を行うダイバーシティ部と、前記ダイバーシティ部の出力を前記第２の信頼性値により重み付けして最尤復号するビタビ復号部と、を具備することを特徴とするものである。
【００１２】
本願の請求項２の発明は、シンボル周期毎に互いに直交する周波数関係にある複数のキャリアに変調を施してデジタル情報を伝送する直交周波数分割多重（以下、ＯＦＤＭという）信号を受信する２以上のブランチを有するダイバーシティ受信装置であって、受信した信号電力から、ダイバーシティ用の第１の基準値及びビタビ復号用の第２の基準値を夫々前記ブランチ毎に求める基準値算出部と、前記第１の基準値からダイバーシティに用いる第１の信頼性値をブランチ毎に算出する第１の信頼性算出部と、前記第２の基準値からビタビ復号に用いる第２の信頼性値をキャリア毎に算出する第２の信頼性算出部と、前記ブランチ毎の第１の信頼性値に従って、キャリア毎の選択又は重み付け合成を行うと共に、前記第１の信頼性値に従って、前記第２の信頼性値を選択又は合成して第３の信頼性値に変換するダイバーシティ部と、前記ダイバーシティ部から出力されたキャリアに対して前記第３の信頼性値により重み付けして最尤復号するビタビ復号部と、を具備することを特徴とするものである。
【００１３】
本願の請求項３の発明は、請求項１又は２のダイバーシティ受信装置において、前記ダイバーシティ部は、前記ブランチ毎の前記第１の信頼性値に従って、第１の演算テーブルを用いてキャリアの選択又は重み付け合成を行うキャリアダイバーシティ部と、前記ブランチ毎の前記第１の信頼性値に従って、第２の演算テーブルを用いて前記第２の信頼性値を選択又は合成して第３の信頼性値に変換する信頼性値ダイバーシティ部と、を有することを特徴とするものである。
【００１４】
本願の請求項４の発明は、複数のキャリアに周期的に分散パイロット信号が挿入されたＯＦＤＭ信号を受信する２以上のブランチを有するダイバーシティ受信装置であって、前記分散パイロット信号の時間軸補間と周波数軸補間によりキャリア毎の伝送路特性を求め、キャリア毎の伝送路特性電力を算出するブランチ毎の電力算出部と、前記電力算出部の出力を用いてダイバーシティ用の平均電力ＰＡを算出するブランチ毎の第１の平均電力算出部と、前記電力算出部の出力を用いてビタビ復号用の平均電力ＰＢを算出するブランチ毎の第２の平均電力算出部と、前記平均電力ＰＡを基準として前記キャリア毎の伝送路特性電力からキャリア毎の第１の信頼性値を算出するブランチ毎の第１の信頼性算出部と、前記平均電力ＰＢを基準として前記キャリア毎の伝送路特性電力からキャリア毎の第２の信頼性値を算出するブランチ毎の第２の信頼性算出部と、ブランチ毎の前記第１の信頼性値に従ってキャリア毎の選択又は重み付け合成を行うキャリアダイバーシティ部と、ブランチ毎の前記第１の信頼性値に従って前記第２の信頼性値を選択又は合成を行い、新たな第３の信頼性値を算出する信頼性値ダイバーシティ部と、前記キャリアダイバーシティ部の出力を、前記第３の信頼性値により重み付けして最尤復号するビタビ復号部と、を具備することを特徴とするものである。
【００１５】
本願の請求項５の発明は、複数のキャリアに周期的に分散パイロット信号が挿入されたＯＦＤＭ信号を受信する２以上のブランチを有するダイバーシティ受信装置であって、前記分散パイロット信号の時間軸補間と周波数軸補間によりキャリア毎の伝送路特性を求め、キャリア毎の伝送路特性電力を算出するブランチ毎の電力算出部と、前記電力算出部の出力を用いてダイバーシティ用の平均電力ＰＡを算出するブランチ毎の第１の平均電力算出部と、前記電力算出部の出力を用いてビタビ復号用の平均電力ＰＢを算出するブランチ毎の第２の平均電力算出部と、前記平均電力ＰＡを基準として前記キャリア毎の伝送路特性電力からキャリア毎の第１の信頼性値を算出するブランチ毎の第１の信頼性算出部と、前記平均電力ＰＢを基準として前記キャリア毎の伝送路特性電力からキャリア毎の第２の信頼性値を算出するブランチ毎の第２の信頼性算出部と、ブランチ毎の前記第１の信頼性値を用いた第１の演算テーブルに従ってキャリア毎の選択又は重み付け合成を行うキャリアダイバーシティ部と、ブランチ毎の前記第１の信頼性値に用いた第２の演算テーブルに従って前記第２の信頼性値を選択又は合成を行い、新たな第３の信頼性値を算出する信頼性値ダイバーシティ部と、前記キャリアダイバーシティ部の出力を、前記第３の信頼性値により重み付けして最尤復号するビタビ復号部と、を具備することを特徴とするものである。
【００１６】
本願の請求項６の発明は、複数のキャリアに周期的に分散パイロット信号が挿入されたＯＦＤＭ信号を受信する２以上のブランチを有するダイバーシティ受信装置であって、前記分散パイロット信号の時間軸補間と周波数軸補間によりキャリア毎の伝送路特性を求め、キャリア毎の伝送路特性電力を算出するブランチ毎の電力算出部と、前記電力算出部から出力される伝送路特性を用いてダイバーシティ用の平均電力ＰＡを算出するブランチ毎の第１の平均電力算出部と、前記電力算出部から出力される伝送路特性を用いてビタビ復号用の平均電力ＰＢを算出するブランチ毎の第２の平均電力算出部と、前記平均電力Ａを基準として前記キャリア毎の伝送路特性電力からキャリア毎の第１の信頼性値を算出するブランチ毎の第１の信頼性算出部と、前記平均電力ＰＢを基準として前記キャリア毎の伝送路特性電力からキャリア毎の第２の信頼性値を算出するブランチ毎の第２の信頼性算出部と、ブランチ毎の前記第１の信頼性値に従ってキャリア毎の選択又は重み付け合成を行うキャリアダイバーシティ部と、ブランチ毎の前記第１の信頼性値に従って前記第２の信頼性値を選択又は合成を行い、新たな第３の信頼性値を算出する信頼性値ダイバーシティ部と、前記キャリアダイバーシティ部の出力を、前記第３の信頼性値により重み付けして最尤復号するビタビ復号部と、を具備することを特徴とするものである。
【００１７】
本願の請求項７の発明は、請求項４〜６の何れか１項のダイバーシティ受信装置において、前記第１の平均電力算出部及び前記第２の平均電力算出部は、平均算出のためにフィルタを使用し、前記第１の平均電力算出部で使用するフィルタは、前記第２の平均電力算出部で使用するフィルタよりも追従性が悪いことを特徴とするものである。
【００１８】
本願の請求項８の発明は、請求項４〜６の何れか１項のダイバーシティ受信装置において、前記第１の平均電力算出部及び前記第２の平均電力算出部は、任意の時間での平均演算を行うものであり、前記第１の平均電力算出部は、前記第２の平均電力算出部よりも長時間の平均演算により平均電力を算出することを特徴とするものである。
【００１９】
本願の請求項９の発明は、複数のキャリアに周期的に分散パイロット信号が挿入されたＯＦＤＭ信号を受信する２以上のブランチを有するダイバーシティ受信装置であって、前記分散パイロット信号の時間軸補間と周波数軸補間によりキャリア毎の伝送路特性を求め、キャリア毎の伝送路特性電力を算出するブランチ毎の電力算出部と、ダイバーシティ用の基準値Ａ０  を任意に設定して出力する基準値出力部と、前記電力算出部の出力を用いてビタビ復号用の平均電力ＰＢを算出するブランチ毎の平均電力算出部と、前記基準値Ａ０  を基準として前記キャリア毎の伝送路特性電力からキャリア毎の第１の信頼性値を算出するブランチ毎の第１の信頼性算出部と、前記平均電力ＰＢを基準として前記キャリア毎の伝送路特性電力からキャリア毎の第２の信頼性値を算出するブランチ毎の第２の信頼性算出部と、ブランチ毎の前記第１の信頼性値に従ってキャリア毎の選択又は重み付け合成を行うキャリアダイバーシティ部と、ブランチ毎の前記第１の信頼性値に従って前記第２の信頼性値を選択又は合成を行い、新たな第３の信頼性値を算出する信頼性値ダイバーシティ部と、前記キャリアダイバーシティ部の出力を、前記第３の信頼性値により重み付けして最尤復号するビタビ復号部と、を具備することを特徴とするものである。
【００２０】
本願の請求項１０の発明は、複数のキャリアに周期的に分散パイロット信号が挿入されたＯＦＤＭ信号を受信する２以上のブランチを有するダイバーシティ受信装置であって、前記分散パイロット信号の時間軸補間と周波数軸補間によりキャリア毎の伝送路特性を求め、キャリア毎の伝送路特性電力を算出するブランチ毎の電力算出部と、ダイバーシティ用の基準値Ａ０  を任意に設定して出力する基準値出力部と、前記電力算出部の出力を用いてビタビ復号用の平均電力ＰＢを算出するブランチ毎の平均電力算出部と、前記基準値Ａ０  を基準として前記キャリア毎の伝送路特性電力からキャリア毎の第１の信頼性値を算出するブランチ毎の第１の信頼性算出部と、前記平均電力ＰＢを基準として前記キャリア毎の伝送路特性電力からキャリア毎の第２の信頼性値を算出するブランチ毎の第２の信頼性算出部と、ブランチ毎の前記第１の信頼性値を用いた第１の演算テーブルに従ってキャリア毎の選択又は重み付け合成を行うキャリアダイバーシティ部と、ブランチ毎の前記第１の信頼性値を用いた第２の演算テーブルに従って前記第２の信頼性値を選択又は合成を行い、新たな第３の信頼性値を算出する信頼性値ダイバーシティ部と、前記キャリアダイバーシティ部の出力を、前記第３の信頼性値により重み付けして最尤復号するビタビ復号部と、を具備することを特徴とするものである。
【００２１】
本願の請求項１１の発明は、複数のキャリアに周期的に分散パイロット信号が挿入されたＯＦＤＭ信号を受信する２以上のブランチを有するダイバーシティ受信装置であって、前記分散パイロット信号の時間軸補間と周波数軸補間によりキャリア毎の伝送路特性を求め、キャリア毎の伝送路特性電力を算出するブランチ毎の電力算出部と、ダイバーシティ用の基準値Ａ０  を任意に設定して出力する基準値出力部と、前記電力算出部の出力する伝送路特性電力を用いてビタビ復号用の平均電力ＰＢを算出するブランチ毎の平均電力算出部と、前記基準値Ａ０  を基準として前記キャリア毎の伝送路特性電力からキャリア毎の第１の信頼性値を算出するブランチ毎の第１の信頼性算出部と、前記平均電力ＰＢを基準として前記キャリア毎の伝送路特性電力からキャリア毎の第２の信頼性値を算出するブランチ毎の第２の信頼性算出部と、ブランチ毎の前記第１の信頼性値に従ってキャリア毎の選択又は重み付け合成を行うキャリアダイバーシティ部と、ブランチ毎の前記第１の信頼性値に従って前記第２の信頼性値を選択又は合成を行い、新たな第３の信頼性値を算出する信頼性値ダイバーシティ部と、前記キャリアダイバーシティ部の出力を、前記第３の信頼性値により重み付けして最尤復号するビタビ復号部と、を具備することを特徴とするものである。
【００２２】
本願の請求項１２の発明は、請求項９〜１１の何れか１項のダイバーシティ受信装置において、前記平均電力算出部は、追従性の良いフィルタを用いて平均電力Ｂを算出することを特徴とするものである。
【００２３】
本願の請求項１３の発明は、請求項９〜１１の何れか１項のダイバーシティ受信装置において、前記平均電力算出部は、任意の短時間平均により平均電力ＰＢを算出するものであることを特徴とする請求項９〜１１の何れか１項記載のダイバーシティ受信装置。
【００２４】
本願の請求項１４の発明は、複数のキャリアに周期的に分散パイロット信号が挿入されたＯＦＤＭ信号を受信する２以上のブランチを有するダイバーシティ受信方法であって、前記分散パイロット信号の時間軸補間と周波数軸補間とによりキャリア毎の伝送路特性を求めキャリア毎の伝送路特性電力を算出し、ブランチ毎にダイバーシティ用の平均電力ＰＡを算出し、ブランチ毎にビタビ復号用の平均電力ＰＢを算出し、前記平均電力Ａを基準として前記キャリア毎の伝送路特性電力からキャリア毎の第１の信頼性値をブランチ毎に算出し、前記平均電力ＰＢを基準として前記キャリア毎の伝送路特性電力からキャリア毎の第２の信頼性値をブランチ毎に算出し、前記ブランチ毎の前記第１の信頼性値に従ってキャリア毎の選択又は重み付け合成し、前記ブランチ毎の前記第１の信頼性値に従って前記第２の信頼性値を選択又は合成して、新たな第３の信頼性値を算出し、前記選択又は重み付け合成されたキャリアを、前記第３の信頼性値により重み付けして最尤復号することを特徴とするものである。
【００２５】
本願の請求項１５の発明は、複数のキャリアに周期的に分散パイロット信号が挿入されたＯＦＤＭ信号を受信する２以上のブランチを有するダイバーシティ受信方法であって、前記分散パイロット信号の時間軸補間と周波数軸補間とによりキャリア毎の伝送路特性を求めキャリア毎の伝送路特性電力を算出し、ブランチ毎にダイバーシティ用の基準値Ａ０  を任意に設定し、ブランチ毎にビタビ復号用の平均電力ＰＢを算出し、前記基準値Ａ０  を基準として前記キャリア毎の伝送路特性電力からキャリア毎の第１の信頼性値をブランチ毎に算出し、前記平均電力ＰＢを基準として前記キャリア毎の伝送路特性電力からキャリア毎の第２の信頼性値をブランチ毎に算出し、前記ブランチ毎の前記第１の信頼性値に従って、キャリア毎の選択又は重み付け合成し、前記ブランチ毎の前記第１の信頼性値に従って前記第２の信頼性値を選択又は合成して、新たな第３の信頼性値を算出し、前記選択又は重み付け合成されたキャリアを、前記第３の信頼性値により重み付けして最尤復号することを特徴とするものである。
【００２６】
【発明の実施の形態】
（実施の形態１）
本発明の実施の形態１におけるダイバーシティ受信装置について、図面を参照しつつ説明する。図１は実施の形態１のダイバーシティ受信装置の構成を示すブロック図である。到達電波１０１、１０２はダイバーシティ受信装置のアンテナ１０３、１０４に入力される受信信号であり、周波数分割多重信号とする。検波部１０５、１０６はＲＦ帯域の受信信号をＩＦ帯域の信号に周波数変換し、直交検波により複素デジタル信号へ変換する。時間周波数変換部１０７、１０８は、夫々検波部１０５、１０６の出力信号に対して時間領域から周波数領域へ変換し、各キャリアを出力する。復調部１０９、１１０は周波数軸上でキャリアの位相や振幅の補正を行う。
【００２７】
信頼性算出部１１１、１１２は、ビタビ復号での重み付けに用いる信頼性値Ｘを算出する。信頼性値Ｘは、キャリア毎の電力と基準となる電力との比較から、任意の閾値により数レベルで算出される。従来例で説明した通り、ビタビ復号で用いる信頼性値Ｘは、絶対的な電力が低い場合であっても、ある程度の信頼性を有するものとして算出されるのが望ましい。このため、基準となる電力をキャリア毎の電力の変動に合わせて変動させて設定することで、信頼性値Ｘを算出する。
【００２８】
信頼性算出部１１３、１１４は、ダイバーシティで用いる信頼性値Ｙを算出する。信頼性値Ｙは、信頼性値Ｘと同じくキャリア毎の電力と基準となる電力との比較から、任意の閾値により数レベルで算出される。従来例で説明した通り、ダイバーシティで用いる信頼性値Ｙは、絶対的な電力を反映して算出されるのが望ましい。このため、基準となる電力を一定に保ち算出することで、絶対的な電力を反映した信頼性値Ｙを算出する。ここで信頼性値Ｙを第１の信頼性値と呼び、信頼性値Ｘを第２の信頼性値と呼ぶ。
【００２９】
ダイバーシティ部１１５は、信頼性算出部１１３、１１４から算出された信頼性値Ｙに従って、キャリアの選択、重み付け合成を実行する。ビタビ復号部１１６は、各キャリアに対して信頼性値Ｘを用いて重み付けして最尤復号を行う。
【００３０】
（実施の形態２）
次に本発明の実施の形態２におけるダイバーシティ受信装置について説明する。図２は実施の形態２のダイバーシティ受信装置の構成を示すブロック図である。このダイバーシティ受信装置は、２つのブランチ２０１と２０２の系列からなり、これらを夫々「ブランチＡ」、「ブランチＢ」と呼ぶ。このダイバーシティ受信装置は各ブランチで復調されたキャリア毎のダイバーシティを行い、その後ビタビ復号部に入力する構成を有している。
【００３１】
到達電波２０３、２０４は夫々アンテナ２０５、２０６に到達するＯＦＤＭ信号である。チューナ２０７、２０８は選局を行い、ＲＦ帯域の受信信号をＩＦ帯にダウンコンバートする。チューナ２０７、２０８の出力はＡＤＣ（アナログ・デジタル・コンバーター）２０９、２１０で、アナログ信号からデジタル信号に変換される。直交検波部（ＤＥＴ）２１１、２１２は夫々ＡＤＣ２０９、２１０の出力に対して直交検波を行い、複素デジタル信号に変換する。ＦＦＴ（高速フーリエ変換）２１３、２１４は、受信したＯＦＤＭ信号を時間軸から周波数軸上の信号である各キャリアに変換する。
【００３２】
ＦＦＴ後の信号には、データのキャリアと、一定間隔毎に挿入された分散パイロット信号（以下、ＳＰという）のキャリアとが混在している。ＳＰはその振幅と位相が既知の信号である。等化部２１５、２１６はこのＳＰを用いて各キャリアの伝送路特性を推定する。等化部２１５、２１６の構成図を夫々図３（ａ）、（ｂ）に示す。受信側では複素除算器２１５ａ、２１６ａを用いて受信したＳＰを既知のＳＰで複素除算し、ＳＰ信号位置の伝送路特性を求める。これを補間部２１５ｂ，２１６ｂを用いて時間軸方向及び周波数軸方向に補間することにより、全キャリア位置の伝送路特性を求める。データのキャリアは、複素除算器２１５ｃ、２１６ｃを用いて夫々のキャリア位置の伝送路特性でＦＦＴ後の信号を複素除算することにより等化される。
【００３３】
等化されたキャリアと算出された伝送路特性は、夫々等化部２１５、２１６から出力される。ブランチＡでは伝送路特性２１７とデータのキャリア２１９が等化部２１５より出力され、ブランチＢでは伝送路特性２１８とデータのキャリア２２０が等化部２１６より出力される。
【００３４】
電力算出部（Ｐ算出）２２１と２２２は、出力された伝送路特性からキャリア毎の伝送路特性の電力（伝送路特性電力）を算出する。平均電力算出部（Ｐａ算出）２２３、２２４は夫々電力算出部２２１、２２２の出力から平均電力ＰＢを算出する。この平均電力ＰＢはビタビ復号で用いられる信頼性値Ｘ（第２の信頼性値）を算出する基準となる。次いで、信頼性算出部（Ｒ算出）２２７、２２８は信頼性値Ｘを算出する。この信頼性値Ｘは平均電力ＰＢを基準として、ある閾値により数レベルに分けて算出される。
【００３５】
一方、平均電力算出部（Ｐａ算出）２２５、２２６は平均電力ＰＡを算出する。この平均電力ＰＡはダイバーシティで用いられる信頼性値Ｙ（第１の信頼性値）を算出する基準となる。信頼性算出部（Ｒ算出）２２９、２３０は信頼性値Ｙを算出する。この信頼性値Ｙは、平均電力ＰＡを基準として、ある閾値により数レベルに分けて算出される。ここで信頼性算出部２２９をブランチＡにおける第１の信頼性算出部という。また、信頼性算出部２３０をブランチＢにおける第１の信頼性算出部という。更に信頼性算出部２２７をブランチＡにおける第２の信頼性算出部という。また、信頼性算出部２２８をブランチＢにおける第２の信頼性算出部という。平均電力算出部２２３、２２５をブランチＡにおける基準値算出部と呼び、平均電力算出部２２４、２２６をブランチＢにおける基準値算出部と呼ぶ。
【００３６】
図４は信頼性算出部２２７，２２８，２２９，２３０内に設けられる信頼性値算出部３１０の機能を示す模式図である。３１１は基準となる平均電力であり、平均電力を基準として、閾値３１２、３１３、３１４で示すように「３」から「１」までが設定される。３１５、３１６、３１７、３１８は、ある４つのキャリアの伝送路特性電力を表しており、高さが大きいほどその電力が大きい。３１５の電力は閾値３より大きく、信頼性値は最大の４が算出される。３１６の電力は閾値２以上３未満であり、信頼性値は３が算出される。同様に、３１７の電力は閾値１以上２未満で信頼性値は２と算出され、３１８の電力は閾値１未満で信頼性値は１と算出される。ここで、信頼性値算出の基準となる平均電力は、平均電力ＰＢについては受信変動に合わせて変動することが望ましく（短時間平均）、平均電力ＰＡについては受信変動に関らず一定に保たれることが望ましい（長時間平均）。
【００３７】
実施の形態２では平均電力と信頼性値算出をビタビ用とダイバーシティ用に複線化し、それぞれに適した平均電力の算出方法を用いている。図５は平均電力算出部の１例を表す機能ブロック図である。平均電力算出部３０１では無限ループフィルタ（ＩＩＲフィルタという）を用いて平均電力が算出される。
【００３８】
キャリア毎の伝送路特性の電力（伝送路特性電力）が電力算出部２２１、２２２から出力されると、乗算器３０２はこの出力信号をフィルタゲインＫで乗算する。次いで遅延器３０４は出力信号（平均電力３０６）を遅延し、乗算器３０５がこの遅延信号を（１−Ｋ）倍する。加算器３０３は乗算器３０２の出力と乗算器３０５の出力とを加算し、加算結果を平均電力３０６として出力する。
【００３９】
ビタビ復号で用いる信頼性値Ｘの算出基準となる平均電力ＰＢの算出では、図５のＩＩＲフィルタのフィルタゲインＫの値を大きくして追従性を良くする。逆にダイバーシティで用いる信頼性値Ｙの算出基準となる平均電力ＰＡの算出では、ＩＩＲフィルタのフィルタゲインＫの値を小さくしてＩＩＲフィルタの追従性を悪くする。このように、平均電力と信頼性値算出をビタビ用とダイバーシティ用に複線化し、それぞれに適した平均電力を算出している。
【００４０】
図２のダイバーシティ部（Ｃ選択合成）２３１は、キャリアと信頼性値Ｘの選択又は重み付け合成を行う。図６はダイバーシティ部２３１の内部構成と入出力信号との関係を示す説明図である。ダイバーシティ部２３１は、キャリアダイバーシティ部４０３と信頼性値ダイバーシティ部４０４とにより構成される。
【００４１】
キャリアダイバーシティ部４０３はブランチ毎の信頼性値Ｙに従って、第１の演算テーブルｘを用いてキャリアの選択又は重み付け合成を行うものである。信頼性値ダイバーシティ部４０４はブランチ毎の信頼性値Ｙに従って、第２の演算テーブルｙを用いて信頼性値Ｘを選択又は合成して第３の信頼性値Ｉに変換するものである。
【００４２】
図７は重み付け合成に用いられるテーブルの内容を表す模式図である。図７（ａ）に示す第１のテーブルｘはキャリアの重み付け合成を行うテーブルである。図７（ｂ）に示す第２のテーブルｙはビタビ用の信頼性値Ｘの重み付け合成を行うテーブルである。図６に示すように、テーブルｘにはブランチＡの信頼性値Ｙ（４０１）、ブランチＢの信頼性値Ｙ（４０２）、ブランチＡのキャリアＡ（４０５）、ブランチＢのキャリアＢ（４０６）が入力される。図７（ａ）に示すように、テーブルｘの縦方向はブランチＢの信頼性値Ｙの値であり、横方向はブランチＡの信頼性値Ｙの値である。信頼性値Ｙは１から４までの４つの値を有している。
【００４３】
キャリアは信頼性値Ｙの値に従い重み付け合成される。例えば、ブランチＡの信頼性値Ｙが「１」であり、ブランチＢの信頼性値Ｙが「３」である場合、（Ａ＋３Ｂ）／４と重み付け合成される。また、両ブランチの信頼性値Ｙが等しければ、（Ａ＋Ｂ）／２と重み付け合成される。こうして重み付け合成されたキャリア２３２が出力される。
【００４４】
一方、テーブルｙには、ブランチＡの信頼性値Ｙ（４０１）、ブランチＢの信頼性値Ｙ（４０２）、ブランチＡの信頼性値Ｘ（ａ）（４０７）、ブランチＢの信頼性値Ｘ（ｂ）（４０８）が入力される。図７（ｂ）に示すように、テーブルの縦方向はブランチＢの信頼性値Ｙの値で、横方向はブランチＡの信頼性値Ｙの値で、図７（ａ）のテーブルｘと同様である。
【００４５】
ビタビ用の信頼性値は、信頼性値Ｘをテーブルｘと同様に重み付け合成することにより得られる。テーブルｙに示すように、例えばブランチＡの信頼性値Ｙが「１」であり、ブランチＢの信頼性値Ｙが「３」の場合、（ａ＋３ｂ）／４と重み付け合成され、両ブランチの信頼性値Ｙが等しければ、（ａ＋ｂ）／２と重み付け合成され出力される。こうして重み付け合成されたビタビ用信頼性値２３３が出力される。図２のビタビ復号部（ビタビ復号）２３４は、キャリア２３２にビタビ用信頼性値２３３を重み付けして最尤復号を行う。
【００４６】
なお、本実施の形態では図３で説明したようにＩＩＲフィルタを用いて平均電力を算出することを説明した。しかし、加算器と除算器を用いて平均電力を算出し、平均電力を算出する際に短時間平均と長時間平均の２通りとすることでも同様の効果が得られる。また、図６において説明した重み付け合成は、他のテーブルでも同様の効果が得られる。またキャリアの選択・合成に用いるテーブルｘと、信頼性値Ｘの選択・合成に用いるテーブルｙとは異なるテーブルであっても同様の効果が得られる。あるいは、信頼性値Ｙの大きいブランチのキャリアや信頼性値Ｘを選択する方法でも同様の効果が得られる。
【００４７】
（実施の形態３）
次に本発明の実施の形態３におけるダイバーシティ受信装置について説明する。実施の形態３のダイバーシティ受信装置は、回路規模と処理負荷を削減しつつ、ダイバーシティとビタビ復号の各々に適した信頼性値を算出することを特徴とするものである。図８は本実施の形態のダイバーシティ受信装置の構成を示すブロック図であり、実施の形態１、２と同一部分は同一の符号を付けて説明する。
【００４８】
基準値出力部（基準値）５０１、５０２は、夫々所定の基準値Ａ０  を有しており、この基準値Ａ０  は設定によりその値を任意に変更できる。信頼性値Ｙは、所定の基準値Ａ０  を基準として、ある閾値により数レベルに分けて算出される。基準値Ａ０  は設定に従い一定値となるため、信頼性値算出の基準の変動がなく、絶対的な電力を反映した信頼性値Ｙの算出が可能となる。
【００４９】
一方、信頼性値Ｘには、実施の形態２と同じくキャリア毎の伝送路特性電力から算出される平均電力ＰＢが用いられる。平均電力ＰＢは受信変動を反映するため、絶対的な電力が低い場合でも、信頼性値Ｘはある程度の信頼性を有するものとして算出される。
【００５０】
ダイバーシティ部（Ｃ選択合成）２３１で、信頼性値Ｙに従いキャリアの選択、重み付け合成を行う。ビタビ用信頼性値２３３は信頼性値Ｘの選択又は重み付け合成により得られる。このように選択又は重み付け合成されたキャリアとビタビ用信頼性値は、ビタビ復号部２３４に出力され、キャリアにビタビ用信頼性値を重み付けして最尤復号される。
【００５１】
（実施の形態４）
次に本発明の実施の形態４におけるダイバーシティ受信装置について説明する。図９は実施の形態４のダイバーシティ受信装置の構成を示すブロック図であり、実施の形態１〜３と同一部分は同一の符号を付けて説明を省略する。本実施の形態では、ビタビ復号の重み付けに用いる信頼性値Ｘは、ダイバーシティ後のキャリアの伝送路特性電力を基に算出される。
【００５２】
ダイバーシティ部（Ｃ選択合成）２３１には、各ブランチのキャリア、信頼性値Ｙのみでなく、電力算出部（Ｐ算出）２２１、２２２で算出されたキャリア毎の伝送路特性電力６０３、６０４も入力される。ダイバーシティ部２３１は、信頼性値Ｙに従って伝送路特性電力及びキャリアを選択又は重み付け合成する。ここでの重み付け合成は実施の形態２で説明した通り、信頼性値Ｙをパラメーターとした計算テーブルに従って実行される。また、キャリアに関しても同様である。ダイバーシティ後の伝送路特性電力は、信頼性算出部（Ｒ算出）６０７に各ブランチの平均電力６０１、６０２と共に入力される。
【００５３】
図１０は信頼性算出部６０７の機能を示す模式図であり、信頼性算出部６０７は平均算出部７０１と信頼性値算出部７０３とにより構成される。信頼性算出部６０７は、ブランチＡの平均電力６０１（ＰＢ１）、ブランチＢの平均電力６０２（ＰＢ２）、ダイバーシティ後のキャリアの伝送路特性電力６０５を入力し、信頼性値Ｘを算出する。
【００５４】
平均算出部７０１は、ブランチＡの平均電力ＰＢ１とブランチＢの平均電力ＰＢ２の平均値を算出し、これを基準値７０２として信頼性値算出部７０３に与える。信頼性値算出部７０３はこの値を基準レベル７０４として用いる。信頼性値算出部７０３は、図４の場合と同じく、基準レベル７０４から閾値１、２、３（７０５、７０６、７０７）を設定する。そして信頼性値算出部７０３は、これらの閾値と、ダイバーシティ後のキャリアの伝送路特性電力７０８、７０９、７１０、７１１との比較により、信頼性値Ｘを算出する。伝送路特性電力７０８については、その電力が閾値３以上であるので信頼性値は「４」と算出され、他も同様に信頼性値が「３」、「２」、「１」と算出される。
【００５５】
算出された信頼性値Ｘ（６０８）は図９のビタビ復号部（ビタビ復号）２３４に出力される。またダイバーシティ後のキャリア６０６は図１０に示すようにキャリア６０９としてそのままビタビ復号部２３４に出力される。信頼性値６０８はキャリア６０９に重み付けされ、ビタビ復号部２３４で最尤復号が実行される。
【００５６】
【発明の効果】
以上のように実施の形態１，２，３のダイバーシティ受信装置によれば、ダイバーシティとビタビ復号のそれぞれに適した信頼性値を算出することが可能となり、結果として、ダイバーシティとビタビ復号の効果を高めることができる。実施の形態３では更に、回路規模の削減、処理負荷の削減も可能とする。
【００５７】
実施の形態４のダイバーシティ受信装置によれば、ダイバーシティに適した信頼性値の算出が可能となり、且つダイバーシティ後のキャリアの伝送路特性電力を基にしたビタビ復号用の信頼性値を算出することが可能となる。
【図面の簡単な説明】
【図１】本発明の実施の形態１におけるダイバーシティ受信装置のブロック図である。
【図２】本発明の実施の形態２におけるダイバーシティ受信装置のブロック図である。
【図３】実施の形態２のダイバーシティ受信装置に用いられる等化部の構成図である。
【図４】信頼性算出部の動作原理を示す模式図である。
【図５】各実施の形態のダイバーシティ受信装置に用いられる平均電力算出部の構成図である。
【図６】実施の形態２のダイバーシティ受信装置に用いられるダイバーシティ部の機能説明図である。
【図７】実施の形態２におけるダイバーシティ部のテーブル内容を示す説明図である。
【図８】本発明の実施の形態３におけるダイバーシティ受信装置のブロック図である。
【図９】本発明の実施の形態４におけるダイバーシティ受信装置のブロック図である。
【図１０】実施の形態４における信頼性値算出部の機能を示す模式図である。
【符号の説明】
１０１，１０２，２０３，２０４  到達電波
１０３，１０４，２０５，２０６  アンテナ
１０５，１０６  検波部
１０７，１０８  時間周波数変換部
１０９，１１０  復調部
１１１，１１２，１１３，１１４，２２７，２２８，２２９，２３０，６０７信頼性算出部（Ｒ算出）
２２３，２２４，２２５，２２６  平均電力算出部（Ｐａ算出）
１１５，２３１  ダイバーシティ部（Ｃ選択合成）
２１９，２２０，２３２，４０５，４０６  キャリア
２３３，４０７，４０８，６０８  信頼性値Ｘ
１１６，２３４  ビタビ復号部
２０７，２０８  チューナ
２０９，２１０  ＡＤＣ（アナログ・デジタル・コンバータ）
２１１，２１２  直交検波部
２１３，２１４  ＦＦＴ
２１５，２１６  等化部
２１５ａ，２１５ｃ，２１６ａ，２１６ｃ  複素除算器
２１５ｂ，２１６ｂ  補間部
２１７，２１８  伝送路特性
２２１，２２２  電力算出部（Ｐ算出）
３０１  平均電力算出部（ＩＩＲフィルタ）
３０２，３０５  乗算器
３０３  加算器
３０４  遅延器
３０６，６０１，６０２  平均電力
３１０，７０３  信頼性値算出部（Ｒ算出）
３１１，７０２  基準値
３１２，３１３，３１４，７０５，７０６，７０７  閾値
３１５，３１６，３１７，３１８，７０８，７０９，７１０，７１１  伝送路特性電力
４０１，４０２  信頼性値Ｙ
４０３  キャリアダイバーシティ部
４０４  信頼性値ダイバーシティ部
５０１，５０２  基準値出力部
６０９  ダイバーシティ後のキャリア
６０５  ダイバーシティ後の伝送路特性電力
７０１  平均算出部
７０４  基準レベル
ｘ，ｙ  テーブル
【図１】
2004172699.tif 000003
【図２】
2004172699.tif 000004
【図３】
2004172699.tif 000005
【図４】
2004172699.tif 000006
【図５】
2004172699.tif 000007
【図６】
2004172699.tif 000008
【図７】
2004172699.tif 000009
【図８】
2004172699.tif 000010
【図９】
2004172699.tif 000011
【図１０】
2004172699.tif 000012